(57)【要約】【課題】連結して重量のある商品を収納しても、安定した吊下状態で陳列できる連結式陳列箱を提供する。【解決手段】周壁３の後部から上方へ延びる背壁６を、上端で繋がった後背板８と前背板９とが重なり合う構造とし、後背板８の下部及び上部に、下向きの差込片１４及び下広がりの差込穴１７をそれぞれ設け、差込片１４の頭部１５を両側に張り出させて、その上縁に段部１６を形成し、差込穴１７の入口幅を差込片１４の頭部１５の最大幅よりも狭く設定する。複数個の陳列箱を上下に配列して連結する際、上段側陳列箱の差込片１４を下段側陳列箱の差込穴１７に挿入すると、差込片１４の段部１６が差込穴１７の両側方で後背板８と前背板９の稜部に係合して、差込片１４が差込穴１７から抜け止めされる。【選択図】図５
2006337411.tif 000002
【特許請求の範囲】
【請求項１】
周壁３の後部から背壁６を上方へ延長し、背壁６の下部及び上部に連結用の係合部を切込により設け、上下に複数個配列して連結し、吊下状態で商品を陳列できるようにした陳列箱において、前記背壁６を、上端で繋がった後背板８と前背板９とが重なり合う構造とし、後背板８の下部及び上部に、連結用係合部として下向きの差込片１４及び下広がりの差込穴１７をそれぞれ設け、差込片１４の頭部１５を両側に張り出させて、その上縁に段部１６を形成し、差込穴１７の入口幅を差込片１４の頭部１５の最大幅よりも狭く設定したことを特徴とする連結式陳列箱。
【発明の詳細な説明】
【技術分野】
【０００１】
この発明は、連結した状態で店頭に吊り下げて商品を陳列できるようにした陳列箱に関するものである。
【背景技術】
【０００２】
従来、下記特許文献１には、図６に示すように、周壁５１の後部から背壁５２を上方へ延長し、背壁５２の上部に下向きの差込片５３を、下部に上向きの差込片５４をそれぞれ切込により設け、上下に配列した複数個の陳列箱５０を、差込片５３，５４の相互差し込みにより連結して吊下状態で商品を陳列できるようにした陳列箱が記載されている。
【０００３】
【特許文献１】実用新案登録第２５７９８９６号公報
【発明の開示】
【発明が解決しようとする課題】
【０００４】
しかしながら、上記のような連結式陳列箱では、下段側の陳列箱５０に重量のある商品を収納すると、その差込片５３の基端両側から背壁５２の上端へかけて材料の板紙が裂けて、下段側の陳列箱５０が落下するおそれがあった。
【０００５】
そこで、この発明は、連結して重量のある商品を収納しても、安定した吊下状態で陳列できる連結式陳列箱を提供することを課題とする。
【課題を解決するための手段】
【０００６】
上記課題を解決するため、この発明に係る連結式陳列箱では、周壁の後部から上方へ延びる背壁を、上端で繋がった後背板と前背板とが重なり合う構造とし、後背板の下部及び上部に、連結用係合部として下向きの差込片及び下広がりの差込穴をそれぞれ設け、差込片の頭部を両側に張り出させて、その上縁に段部を形成し、差込穴の入口幅を差込片の頭部の最大幅よりも狭く設定したのである。
【０００７】
このような陳列箱を上下に複数個配列して連結する際、上段側陳列箱の差込片を下段側陳列箱の差込穴に挿入すると、差込片の段部が差込穴の両側方で後背板と前背板の稜部に係合して、差込片が差込穴から抜け止めされる。
【発明の効果】
【０００８】
上記のような陳列箱では、複数個連結して吊り下げた状態において、下段側陳列箱に重量のある商品を収納しても、その荷重が作用する後背板と前背板の稜部が裂けにくく、安定した状態で商品を陳列することができる。
【０００９】
また、単体でも商品を陳列でき、連結作業も簡単であるので、商品の数やサイズ、重量に応じて、陳列形態を柔軟に変更することができる。
【発明を実施するための最良の形態】
【００１０】
以下、この発明の実施の形態を添付図面に基づいて説明する。
【００１１】
ここに示す連結式陳列箱は、本体１とこれに付属する仕切体２とから成り、図１に示すような板紙製ブランクから形成される。
【００１２】
本体１のブランクでは、周壁３をなすように、前面板４の一側に繋がる側面板５に背壁６が、他側に繋がる側面板５に継代片７がそれぞれ連設され、背壁６は、一側の側面板５に繋がる後背板８の上端に前背板９を連設したものとされている。前面板４及び後背板８の下端には底面板１０が、側面板５の下端には底面板１１がそれぞれ連設され、前面板４の上端には前重板１２及び底重板１３が順次連設されている。
【００１３】
後背板８の下部には、下方から上方へ切り込んで下向きの差込片１４が設けられ、差込片１４の頭部１５は両側方へ張り出し、その上縁には段部１６が形成されている。また、頭部１５の先端両角部には差込誘導用のテーパが形成されている。
【００１４】
後背板８の上部には、前背板９との稜部から下広がりに切り込んで差込穴１７が設けられ、差込穴１７の入口幅は、差込片１４の頭部１５の最大幅よりも狭く設定されている。また、後背板８及び前背板９の両側上部には、紐穴１８が設けられている。
【００１５】
一方、仕切体２のブランクでは、中頂板２１の両側から斜め下方へ仕切板２２及び底敷板２３が順次連設され、底敷板２３の後端には背当板２４が、各仕切板２２の後端には背折板２５がそれぞれ連設されている。一方の背折板２５と仕切板２２の境界には差込穴２６が、他方の背折板２５の端縁には差込片２７がそれぞれ設けられ、中頂板２１の前端には前折板２８が連設されている。
【００１６】
上記のようなブランクから本体１を組み立てるには、図２に示すように、前面板４、一対の側面板５及び後背板８を角筒状に折り曲げ、継代片７を後背板８に貼り付けて周壁３を形成し、前背板９を後背板８の前面に重ねて貼り合わせ、底面板１０，１１を組み合わせて底面を閉止し、前重板１２を前面板４の後面に、底重板１３を底面板１０，１１の上面に重ね合わせる。
【００１７】
また、仕切体２を組み立てるには、中頂板２１から各仕切板２２を下方へ折り曲げ、底敷板２３を外側へ折り曲げて、背当板２４を斜め上方へ折り曲げ、二枚の背折板２５を内側へ折り曲げて重ね合わせ、差込穴２６に差込片２７を差し込んで保形し、前折板２８を下方へ折り曲げる。
【００１８】
このように組み立てた本体１に仕切体２をセットする際には、底敷板２３を底重板１３に載せ、背折板２５を前背板９に、前折板２８を前重板１２にそれぞれ当接させ、背当板２４を前背板９に凭れさせる。
【００１９】
上記のような陳列箱は、図３に示すように、単体で商品の陳列台として使用でき、紐穴１８に吊紐１９を挿通して、吊下状態で商品を陳列することもできる。また、図４に示すように、上下に複数個配列して連結し、吊り下げた状態で商品を陳列することもできる。
【００２０】
この連結に際し、図５に示すように、上段側の陳列箱の差込片１４を、下段側の陳列箱の差込穴１７に挿入すると、差込片１４の段部１６が差込穴１７の両側方で後背板８と前背板９の稜部に係合して、差込片１４が差込穴１７から抜け止めされる。
【００２１】
そして、連結状態において、下段側陳列箱に重量のある商品を収納して吊り下げても、その荷重が作用する後背板８と前背板９の稜部が裂けにくく、安定した状態で商品を陳列することができ、また、３個以上の多数個連結して商品を陳列することもできる。
【図面の簡単な説明】
【００２２】
【図１】この発明に係る陳列箱のブランクを示す図
【図２】同上の組立過程を示す斜視図
【図３】同上の組立状態を示す斜視図
【図４】同上の連結状態を前方から示す斜視図
【図５】同上の連結部分を後方から示す拡大斜視図
【図６】従来の陳列箱の連結状態を後方から示す斜視図
【符号の説明】
【００２３】
１  本体
２  仕切体
３  周壁
４  前面板
５  側面板
６  背壁
７  継代片
８  後背板
９  前背板
１０，１１  底面板
１２  前重板
１３  底重板
１４  差込片
１５  頭部
１６  段部
１７  差込穴
１８  紐穴
１９  吊紐
２１  中頂板
２２  仕切板
２３  底敷板
２４  背当板
２５  背折板
２６  差込穴
２７  差込片
２８  前折板
【図１】
2006337411.tif 000003
【図２】
2006337411.tif 000004
【図３】
2006337411.tif 000005
【図４】
2006337411.tif 000006
【図５】
2006337411.tif 000007
【図６】
2006337411.tif 000008